(57)【要約】【課題】  部品点数を減少させることができて、ノズルカバーの形状が制限されることのないノズル取付構造を提供する。【解決手段】  ノズルカバー８の開口８ａに、内側より鍔９ｃ付きのノズル受部９を挿通させ、このノズル受部９に対しノズル４を嵌めるとともに、ノズルカバー８の外側より脱落防止部材１０を介在させてノズルキャップ１２を締め付け、このノズルキャップ１２とノズル受部９の鍔９ｃ間にノズルカバー８を挟み込んでノズル４を取り付ける。【選択図】        図３
2005253635.tif 000002
【特許請求の範囲】
【請求項１】
ノズルカバーの開口に、内側より鍔付きのノズル受部を挿通させ、該ノズル受部に対しノズルを嵌めるとともに、前記ノズルカバーの外側より脱落防止部材を介在させてノズルキャップを締め付け、該ノズルキャップと前記ノズル受部の鍔間に前記ノズルカバーを挟み込んで固定することを特徴とするノズル取付構造。
【請求項２】
前記ノズルカバーの開口の外側には、前記脱落防止部材が嵌め込まれる凹部が形成されていることを特徴とする請求項１に記載のノズル取付構造。
【請求項３】
前記ノズル受部の外周には、前記脱落防止部材が外嵌される凹部が形成されていることを特徴とする請求項１または請求項２に記載のノズル取付構造。
【発明の詳細な説明】
【技術分野】
【０００１】
本発明は、シャワー装置におけるノズルの取付構造に関するものである。
【背景技術】
【０００２】
従来、浴室内に設置されて全身にシャワーを浴びることができるシャワー装置として、例えば特許文献１に開示されているようなものがあり、このシャワー装置の下アームは、図５に分解図で示すような構造となっている。
即ち、ノズルキャップ５３をノズル受部５５に締め付けてノズル５２を取り付ける構造であるが、ノズル受部５５は板金５４に固定されたものであった。
【特許文献１】特開２００２−１１２９１２号公報
【発明の開示】
【発明が解決しようとする課題】
【０００３】
従来のノズルの取付構造では、ノズル受部５５を板金５４に固定しており、そのため、ノズルカバー５６は板金５４により形状が制限されてしまうという問題点があり、また、板金５４が必要であり、部材が多くなり、コストが増大してしまうという問題点があった。また、単に板金５４無しでノズル受部５５をノズルカバー５６に支持させた場合は、ノズルキャップ５３を外した場合に、配管が柔らかいホースであると、ノズル受部５５がノズルカバー５６内に脱落する虞れがあるという問題点があった。
【課題を解決するための手段】
【０００４】
本発明は上記従来の問題点に鑑み案出したものであって、ノズルカバーの形状が制限されることなく、また板金が不要となって、部品点数を減少させることのできるノズル取付構造を提供せんとするものであり、請求項１は、ノズルカバーの開口に、内側より鍔付きのノズル受部を挿通させ、該ノズル受部に対しノズルを嵌めるとともに、前記ノズルカバーの外側より脱落防止部材を介在させてノズルキャップを締め付け、該ノズルキャップと前記ノズル受部の鍔間に前記ノズルカバーを挟み込んで固定することである。
また、請求項２は、前記ノズルカバーの開口の外側には、前記脱落防止部材が嵌め込まれる凹部が形成されていることである。
また、請求項３は、前記ノズル受部の外周には、前記脱落防止部材が外嵌される凹部が形成されていることである。
【発明の効果】
【０００５】
本発明のノズル取付構造は、ノズルキャップとノズル受部の鍔間に、ノズルカバーを挟み込んで固定することとしたため、ノズル受部を固定するために板金やビスを使用しなくても良く、部品点数を減少させてコストを低減させることができるものとなり、ノズル受部の鍔とノズルキャップでノズルカバーを挟み込んでノズルを固定するため、ノズルカバーの形状に合わせてノズルを固定することができ、ノズルカバーの形状が制限されることがない。また、脱落防止部材により、ノズルキャップを外した状態でもノズル受部がノズルカバーの内部に脱落してしまうことがなく、また、脱落防止部材によりノズル受部の位置決めができて、ズレを防ぐことができるものとなる。
【０００６】
また、前記ノズルカバーの開口の外側には、脱落防止部材が嵌め込まれる凹部が形成されていることにより、凹部内に脱落防止部材を隠すことができ、ノズルキャップが浮き上がることがなく、ノズルキャップとノズルカバーとの間に隙間ができにくく、汚れが溜まるのを良好に防ぐことができるものとなる。
【０００７】
また、ノズル受部の外周には、脱落防止部材が外嵌される凹部が形成されていることにより、ノズル受部の凹部内に脱落防止部材が嵌め込まれて、ノズルキャップを外した状態で、ノズル受部がノズルカバーの内側に脱落するのを良好に防ぐことができるものとなる。
【実施例】
【０００８】
以下、本発明の実施例を図面に基づいて説明する。
図１は、浴室の壁面に設置されるシャワー装置の斜視構成図である。
シャワー装置１は、左右のアーム３，３で構成される上側散水部５と、上側散水部５の下端よりも下方に延びる左右一対の下側散水部６で構成されており、上側散水部５及び下側散水部６には、それぞれ複数の散水ノズル４，４，４が設けられている。
【０００９】
図２は、浴室の壁面Ｗにシャワー装置１を設置した状態の側面構成図であり、上側散水部５を構成するアーム３は、下方へ回動させて使用することができるものとなっており、一方の下側散水部６は、壁面Ｗに固定されたものとなっている。
下側散水部６を構成するノズルカバー８の前面に取り付けられるノズル４の構成部材の分解拡大斜視図を図３に示し、また、図４では、ノズル４の取付状態の断面拡大図を示す。
【００１０】
ノズルカバー８には、貫通状に開口８ａが形成されており、この開口８ａの前面側には、外側から内側へ向かって凹んだ凹部８ｂが開口８ａの外周に形成されている。また、開口８ａの裏側には、内側へ突出したストッパー８ｃ，８ｃが、例えば２個程度設けられている。
このノズルカバー８の開口８ａの内側に配置されるノズル受部９は、前面側に半球状の凹部９ａが形成された筒状をなし、奥側外周には間隔をおいて複数の鍔９ｃ，９ｃが外側へ向かって突出形成され、鍔９ｃの前側外周には、凹み状に凹部９ｂが形成されており、鍔９ｃの後方には、同軸状に後方側へ延びて配管接続部９ｄが形成され、この配管接続部９ｄに、例えばホースなどで構成される配管１３が接続されるものである。
【００１１】
一方、ノズルカバー８の開口８ａの外側からは、オーリング１０で構成される脱落防止部材が凹部８ｂ内に嵌め込まれるものであり、また、球部４ａと噴出部４ｂで構成されるノズル４が外側からノズル受部９の球状凹部９ａ内に嵌め込まれるものである。
さらにノズル４には止水用オーリング１１を介在させてノズルキャップ１２が嵌め込まれ、このノズルキャップ１２の内周に形成された雌ネジを、ノズル受部９の外周の雄ネジに締め付けることにより、ノズルキャップ１２とノズル受部９の鍔９ｃ間にノズルカバー８を挟み込んだ状態でノズル４を固定できるように構成されている。
【００１２】
なお、開口８ａ内に内側より挿通されるノズル受部９に対し、外側からノズルキャップ１２を締め付ける際に、予めノズルカバー８の外側よりオーリング１０を凹部８ｂ内に嵌め込み、しかも、このオーリング１０をノズル受部９の凹部９ｂ内に嵌め込んでおくことにより、ノズル受部９をノズルカバー８に位置決めして仮固定しておくことができ、この状態では、ノズル受部９はノズルカバー８の内側へ脱落することがなく、良好に位置決めされるものとなる。
【００１３】
また、鍔部９ｃ，９ｃ間にストッパー８ｃ，８ｃが嵌まり込んだ状態では、外側よりノズルキャップ１２をノズル受部９に締め付けても、ノズル受部９が空回りすることはなく、良好に外側よりノズルキャップ１２を締め付けてゆくことができるものである。
また、オーリング１０は凹部８ｂ内に嵌め込まれているため、ノズルキャップ１２がノズルカバー８の外側に浮き上がることがなく、ノズルキャップ１２とノズルカバー８間に隙間ができにくく、締め付けた状態の見栄えが良好で、ノズルキャップ１２の後端はほぼ開口８ａの外周に当接状態となり、この部分に汚れが溜まることがない。
【００１４】
このようにしてノズルキャップ１２をノズル受部９に締め付けてゆくことで、ノズルキャップ１２とノズル受部９の鍔９ｃ間にノズルカバー８を挟み込んで固定できるため、従来のような板金は必要とせず、良好にノズル受部９をノズルカバー８に固定することができ、部品点数が従来よりも少なくなり、また、ノズルカバー８の形状は制限されることがなく、ノズルカバー８の形状に合わせて開口８ａに良好にノズル受部９を固定し、ノズル４を取り付けることができるものとなる。
【００１５】
また、メンテナンス時等にノズルキャップ１２を外した状態でも、オーリング１０が凹部８ｂ及び凹部９ｂ内に嵌まり込んでいるため、外側からノズル受部９を押圧しても、内側へノズル受部９が脱落することが防がれ、配管１３が柔らかいホースで構成されている場合でも、ノズル受部９の内側への脱落が防がれるものとなる。
【図面の簡単な説明】
【００１６】
【図１】シャワー装置の斜視構成図である。
【図２】シャワー装置を設置した状態の側面構成図である。
【図３】シャワー装置のノズルを取り付けるための構成部材の分解拡大斜視構成図である。
【図４】図３の構成部材を組み付けた状態の断面拡大構成図である。
【図５】従来の板金を用いたノズルの取付構造の分解斜視図である。
【符号の説明】
【００１７】
１  シャワー装置
３  アーム
４  散水ノズル
４ａ  球部
４ｂ  噴出部
５  上側散水部
６  下側散水部
８  ノズルカバー
８ａ  開口
８ｂ  凹部
８ｃ  ストッパー
９  ノズル受部
９ａ  球状凹部
９ｂ  凹部
９ｃ  鍔
９ｄ  配管接続部
１０  オーリング（脱落防止部材）
１１  止水用オーリング
１２  ノズルキャップ
【図１】
2005253635.tif 000003
【図２】
2005253635.tif 000004
【図３】
2005253635.tif 000005
【図４】
2005253635.tif 000006
【図５】
2005253635.tif 000007